(57)【要約】  トンネル出入口の標高を自動的に作成する装置及びその方法を提供する。  地図データ保存部からトンネルの出入口標高を特定するための対象出入口を選択し、選択された対象出入口を含む道路リンクを対象道路リンクとして指定し、選択された対象出入口から対象道路リンクに沿って、トンネルの外側へ所定距離離れた地点を補正地点として抽出し、抽出された補正地点の標高を補正地点標高として特定し、当該補正地点標高を対象出入口の第１の標高と特定する。
2012056818.tif 000002
【特許請求の範囲】
【請求項１】
地図データ保存部からトンネルの出入口標高を特定するための対象出入口を選択する対象出入口選択部と、
前記地図データ保存部から前記対象出入口を含む道路リンクを対象道路リンクとして指定する対象道路リンク指定部と、
前記対象出入口から前記対象道路リンクに沿って、前記トンネルの外側へ所定距離離れた地点を補正地点として抽出する補正地点抽出部と、
前記補正地点の標高を補正地点標高として特定する補正地点標高特定部と、
前記補正地点標高を前記対象出入口の第１の標高と特定する第１の対象出入口標高特定部と、
を備えるトンネル出入口標高特定装置。
【請求項２】
前記補正地点標高特定部は、所定間隔メッシュの格子点に対応する地図上の標高を示すメッシュ標高データに基づき前記補正地点標高を特定する、請求項１に記載のトンネル出入口標高特定装置。
【請求項３】
前記メッシュ標高データに基づき前記対象出入口の第２の標高を特定する第２の対象出入口標高特定部と、
前記第１の標高と前記第２の標高との標高差を算出する標高差算出部と、
前記標高差が所定閾値以上であるとき、フラグを設定するフラグ設定部と、
を備える、請求項２に記載のトンネル出入口標高特定装置。
【請求項４】
前記所定距離は予め指定された条件に基づき設定される、請求項１〜３のいずれか一項に記載のトンネル出入口標高特定装置。
【請求項５】
地図データ保存部からトンネルの出入口標高を特定するための対象出入口を選択する対象出入口選択ステップと、
前記地図データ保存部から前記対象出入口を含む道路リンクを対象道路リンクとして指定する対象道路リンク指定ステップと、
前記対象出入口から前記対象道路リンクに沿って、前記トンネルの外側へ所定距離離れた地点を補正地点として抽出する補正地点抽出ステップと、
前記補正地点の標高を補正地点標高として特定する補正地点標高特定ステップと、
前記補正地点標高を前記対象出入口の第１の標高と特定する第１の対象出入口標高特定ステップと、
を備える、トンネル出入口標高特定方法。
【請求項６】
前記補正地点標高特定ステップは、所定間隔メッシュの格子点に対応する地図上の標高を示すメッシュ標高データに基づき前記補正地点標高を特定する、請求項５に記載のトンネル出入口標高特定方法。
【請求項７】
前記メッシュ標高データに基づき前記対象出入口の第２の標高を特定する第２の対象出入口標高特定ステップと、
前記第１の標高と前記第２の標高との標高差を算出する標高差算出ステップと、
前記標高差が所定閾値以上であるとき、フラグを設定するフラグ設定ステップと、
を備える、請求項６に記載のトンネル出入口標高特定方法。
【請求項８】
前記所定距離は予め指定された条件に基づき設定される、請求項５〜７のいずれか一項に記載のトンネル出入口標高特定方法。
【請求項９】
トンネル出入口標高を特定するためのコンピュータプログラムであって、コンピュータを、
地図データ保存部からトンネルの出入口標高を特定するための対象出入口を選択する対象出入口選択手段と、
前記地図データ保存部から前記対象出入口を含む道路リンクを対象道路リンクとして指定する対象道路リンク指定手段と、
前記対象出入口から前記対象道路リンクに沿って、前記トンネルの外側へ所定距離離れた地点を補正地点として抽出する補正地点抽出手段と、
前記補正地点の標高を補正地点標高として特定する補正地点標高特定手段と、
前記補正地点標高を前記対象出入口の第１の標高と特定する第１の対象出入口標高特定手段、
として機能させるコンピュータプログラム。
【請求項１０】
前記補正地点標高特定手段は、所定間隔メッシュの格子点に対応する地図上の標高を示すメッシュ標高データに基づき前記補正地点標高を特定する、請求項９に記載のコンピュータプログラム。
【請求項１１】
前記コンピュータを、更に、
前記メッシュ標高データに基づき前記対象出入口の第２の標高を特定する第２の対象出入口標高特定手段と、
前記第１の標高と前記第２の標高との標高差を算出する標高差算出手段と、
前記標高差が所定閾値以上であるとき、フラグを設定するフラグ設定手段、
として機能させる、請求項１０に記載のコンピュータプログラム。
【請求項１２】
前記所定距離は予め指定された条件に基づき設定される、請求項９〜１１のいずれか一項に記載のコンピュータプログラム。
【請求項１３】
請求項９〜請求項１２のいずれかに記載のコンピュータプログラムを記録する記録媒体。
【発明の詳細な説明】
【技術分野】
【０００１】
本発明はトンネル出入口の標高を特定する装置及びその方法に関する。
【背景技術】
【０００２】
地図情報に備えられた地形図の位置精度に関して、人的誤差、測量誤差等により、十数メートルの誤差があるとも言われる。また一般に、トンネル出入口付近は地形標高の変化が激しいため、当該出入口の位置がズレることによる路面標高への影響が大きいことも知られている。すなわち、トンネル出入口の位置が少しトンネル側へズレて認識されると、トンネル上部に存在する山の傾斜部分の標高が当該出入口の路面標高として計算されてしまう。【０００３】
このような誤差を伴う標高を用いると、例えば、当該標高を利用したトンネル内の路面勾配の誤差の原因ともなる。
ここで、路面標高を高精度に推定すべく、地表標高データから演算された地表標高値の確からしさを演算し、より確からしいデータを重視したフィルタ処理を行うことにより、実路面標高に近い値として路面標高を推定可能な車両用路面標高推定装置が提案されている（特許文献１）。
本件発明に関連する従来技術を開示する特許文献２〜４も参照されたい。
【先行技術文献】
【特許文献】
【０００４】
【特許文献１】特開２００４−０３７１４１号公報
【特許文献２】特開２００５−１７３６８１号公報
【特許文献３】特開２００５−１０６９０６号公報
【特許文献４】特開２００８−０８９６０６号公報
【発明の概要】
【発明が解決しようとする課題】
【０００５】
本発明者は、地形標高の変化が激しいトンネル出入口において、より簡易に路面標高を特定すべく鋭意検討を重ねてきた。その結果、下記の点に気がついた。
上記の通り、トンネル出入口付近は地形標高の変化が激しい。しかしながら、安全面から、トンネル出入口付近の道路は急勾配構造をとらないことが多いため、トンネル出入口の標高と、当該トンネル出入口から道路沿い数十メートル離れた道路上の路面標高との標高差は小さい。【０００６】
また、地図情報に備えられた標高データは、所定間隔メッシュの格子点に対応する地図情報の標高を示すメッシュ標高データに基づいて求められる。すなわち、任意のポイントの標高データは、当該ポイントを囲む４点の上記メッシュ標高データを用いて適宜求められる。このため、当該ポイントの標高をより精度良く求めるためには、適正な４点が選択されることが重要である。しかしながら、トンネル出入口の標高を求める際には、選択される点としてトンネル上部に存在する山部分に存在する点を拾ってしまう可能性がある。この場合、得られる標高は、山部分のメッシュ標高値に引っ張られ、実標高より高い値となってしまう。
【課題を解決するための手段】
【０００７】
この発明は上述の課題に鑑みてなされたものであり、その目的は、複雑な処理を行うことなく、より簡易に、トンネル出入口標高を特定可能な技術を提供することにある。
即ち、この発明の第１の局面は次のように規定される。
地図データ保存部からトンネルの出入口標高を特定するための対象出入口を選択する対象出入口選択部と、
前記地図データ保存部から前記対象出入口を含む道路リンクを対象道路リンクとして指定する対象道路リンク指定部と、
前記対象出入口から前記対象道路リンクに沿って、前記トンネルの外側へ所定距離離れた地点を補正地点として抽出する補正地点抽出部と、
前記補正地点の標高を補正地点標高として特定する補正地点標高特定部と、
前記補正地点標高を前記対象出入口の第１の標高と特定する第１の対象出入口標高特定部と、
を備えるトンネル出入口標高特定装置。【０００８】
このように規定される第１の局面のトンネル出入口標高特定装置によれば、トンネル出入口標高を特定するための対象出入口を選択し、当該対象出入口から当該対象出入口を含有する道路リンク上、トンネル外側へ所定距離離れた地点の標高を補正地点標高として特定し、当該補正地点標高をトンネル出入口の第１の標高として特定する。このように、トンネル出入口標高に代えて、当該出入口標高との標高差が小さく、かつ、精度良く標高値を得ることが可能な補正地点の標高をトンネル出入口標高と特定することにより、複雑な処理を行うことなく、より簡易に、トンネル出入口標高を特定することが可能となる。すなわち、トンネル出入口付近の道路は平坦であることが多いことから、上記補正地点の標高を求める際、適切な４点のメッシュ標高データが選択される可能性が高いため、精度の高い標高値を得ることが可能である。【０００９】
ここで、当該補正地点標高特定部は、所定間隔メッシュの格子点に対応する地図上の標高を示すメッシュ標高データに基づき当該補正地点標高を特定することができる（第２の局面）。メッシュ標高データとは、国土地理院より提供される標高データであり、ナビソフトと同様にＣＤ−ＲＯＭ等の記録媒体の形態で入手可能であり、全国の地図が、１辺の長さが５０ｍ又は１０ｍ程度の小さな正方形の領域に細かく区分され、各領域の中心の標高がそれぞれ記憶されているものである。また、上記所定距離は、予め指定された条件に基づき設定することができる（第４の局面）。【００１０】
対象出入口から延びる対象道路（対象道路リンク）が山腹に沿って備えられている場合がある。このような場合、上記補正地点と対象出入口との標高差が大きい可能性が高い。
そこで、この発明の第３の局面は次のように規定される。即ち、
第２の局面に規定のトンネル出入口標高特定装置において、前記メッシュ標高データに基づき前記対象出入口の第２の標高を特定する第２の対象出入口標高特定部と、
前記第１の標高と前記第２の標高との標高差を算出する標高差算出部と、
前記標高差が所定閾値以上であるとき、フラグを設定するフラグ設定部と、を備える。
このように規定される第３の局面のトンネル出入口標高特定装置によれば、対象出入口の標高として、更にメッシュ標高データに基づき得られる第２の標高を特定し、第１の標高と第２の標高との標高差が所定閾値以上である対象出入口にフラグを設定する。このように設定されたフラグを対象出入口の現地調査を行う等の指標とすることができる。【００１１】
また、この発明の第５の局面は次のように規定される。即ち、
地図データ保存部からトンネルの出入口標高を特定するための対象出入口を選択する対象出入口選択ステップと、
前記地図データ保存部から前記対象出入口を含む道路リンクを対象道路リンクとして指定する対象道路リンク指定ステップと、
前記対象出入口から前記対象道路リンクに沿って、前記トンネルの外側へ所定距離離れた地点を補正地点として抽出する補正地点抽出ステップと、
前記補正地点の標高を補正地点標高として特定する補正地点標高特定ステップと、
前記補正地点標高を前記対象出入口の第１の標高と特定する第１の対象出入口標高特定ステップと、
を備えるトンネル出入口標高特定方法。
このように規定される第５の局面の発明によれば、第１の局面と同等の効果を奏する。【００１２】
この発明の第６の局面は次のように規定される。即ち、
第５の局面に規定のトンネル出入口標高特定方法において、前記補正地点標高特定ステップは、所定間隔メッシュの格子点に対応する地図上の標高を示すメッシュ標高データに基づき前記補正地点標高を特定する。
このように規定される第６の局面の発明によれば、第２の局面と同等の効果を奏する。【００１３】
この発明の第７の局面は次のように規定される。即ち、
第６の局面に規定のトンネル出入口標高特定方法において、前記メッシュ標高データに基づき前記対象出入口の第２の標高を特定する第２の対象出入口標高特定ステップと、
前記第１の標高と前記第２の標高との標高差を算出する標高差算出ステップと、
前記標高差が所定閾値以上であるとき、フラグを設定するフラグ設定ステップと、を備える。
このように規定される第７の局面の発明によれば、第３の局面と同等の効果を奏する。【００１４】
この発明の第８の局面は次のように規定される。即ち、
第５〜第７のいずれかの局面に規定のトンネル出入口標高特定方法において、前記所定距離は予め指定された条件に基づき設定される。【００１５】
更に、この発明の第９の局面は次のように規定される。即ち、
トンネル出入口標高を特定するためのコンピュータプログラムであって、コンピュータを、
地図データ保存部からトンネルの出入口標高を特定するための対象出入口を選択する対象出入口選択手段と、
前記地図データ保存部から前記対象出入口を含む道路リンクを対象道路リンクとして指定する対象道路リンク指定手段と、
前記対象出入口から前記対象道路リンクに沿って、前記トンネルの外側へ所定距離離れた地点を補正地点として抽出する補正地点抽出手段と、
前記補正地点の標高を補正地点標高として特定する補正地点標高特定手段と、
前記補正地点標高を前記対象出入口の第１の標高と特定する第１の対象出入口標高特定手段、
として機能させるコンピュータプログラム。
このように規定される第９の局面に規定の発明によれば、第１の局面と同等の効果を奏する。【００１６】
この発明の第１０の局面は次のように規定される。即ち、
第９の局面に規定のコンピュータプログラムにおいて、前記補正地点標高特定手段は、所定間隔メッシュの格子点に対応する地図上の標高を示すメッシュ標高データに基づき前記補正地点標高を特定する。
このように規定される第１０の局面の発明によれば、第２の局面と同等の効果を奏する。【００１７】
この発明の第１１の局面は次のように規定される。即ち、
第１０の局面に規定のコンピュータプログラムにおいて、前記コンピュータを、更に、
前記メッシュ標高データに基づき前記対象出入口の第２の標高を特定する第２の対象出入口標高特定手段と、
前記第１の標高と前記第２の標高との標高差を算出する標高差算出手段と、
前記標高差が所定閾値以上であるとき、フラグを設定するフラグ設定手段、として機能させる。
このように規定される第１１の局面の発明によれば、第３の局面と同等の効果を奏する。【００１８】
この発明の第１２の局面は次のように規定される。即ち、
第９〜第１１のいずれかの局面に規定のコンピュータプログラムにおいて、前記所定距離は予め指定された条件に基づき設定される。
このように規定される第１２の局面の発明によれば、第４の局面と同等の効果を奏する。【００１９】
第９〜第１２のいずれかの局面に規定されるコンピュータプログラムを記録する記録媒体が第１３の局面として規定される。
【図面の簡単な説明】
【００２０】
【図１】本発明の実施の形態のトンネル出入口標高特定装置の構成を示すブロック図である。
【図２】第１の標高の特定方法を説明する模式図である。
【図３】本発明の実施の形態のトンネル出入口標高特定装置の動作を示すフローチャートである。
【図４】本発明の他の実施の形態のトンネル出入口標高特定装置の構成を示すブロック図である。
【図５】本発明の実施の形態のトンネル出入口標高特定装置を構成するコンピュータシステムを示す。
【発明を実施するための形態】
【００２１】
この発明の実施の形態のトンネル出入口標高特定装置を説明する。
図１に、この発明の実施の形態のトンネル出入口標高特定装置１の概略構成を示す。適宜、図２に示す模式図を用いて、以下に説明する。
図１に示すように、このトンネル出入口標高特定装置１は、地図データ保存部３、標高データ保存部４、対象出入口選択部５、対象出入口保存部６、対象道路リンク指定部７、対象道路リンク保存部８、補正地点抽出部９、補正地点保存部１０、補正地点標高特定部１１、第１標高特定部１２及び第１標高保存部１３を備えている。
【００２２】
地図データ保存部３には地図情報が保存される。地図情報にはリンクやノードなど地図情報を規定するための道路要素に関する情報と地図に描画される情報等が含まれる。
標高データ保存部４には、標高データが地図データに関連付けられて保存されている。当該標高データは予め用意されたデータであっても良く、更には、所定サイズのメッシュに区切った領域単位で表され、地形の標高情報が付与されたデータであることが好ましい。このようなデータとして、例えば、メッシュ標高データを挙げることができる。当該メッシュ標高データとは、国土地理院が公開している標高データであり、全国地図が、１辺の長さが５０ｍ又は１０ｍ程度の小さな正方形の領域に細かく区分され、各領域の中心の標高がそれぞれ記憶されているデータである。
【００２３】
対象出入口選択部５は、地図データ保存部３を参照し、標高を特定する対象となるトンネル出入口を対象出入口（図２（Ａ）に示す地点Ｘ）として選択する。選択された当該対象出入口は、対象出入口保存部６に保存される。
対象道路リンク指定部７は、地図データ保存部３及び対象出入口保存部６を参照し、対象出入口選択部５で選択された対象出入口（Ｘ）を含む道路リンクを対象道路リンク（図２（Ａ）に示すリンクＹ）として指定する。指定された対象道路リンクは、対象道路リンク保存部８に保存される。
【００２４】
補正地点抽出部９は、地図データ保存部３及び対象道路リンク保存部８を参照し、上記対象出入口（Ｘ）の標高と標高差が小さく、かつ、精度良く標高値を得ることが可能な地点を補正地点（図２（Ａ）に示す地点Ｚ１）として抽出する。すなわち、対象道路リンク指定部７で指定された対象道路リンク（Ｙ）に沿って、対象出入口選択部５で選択された対象出入口（Ｘ）からトンネルの外側へ所定距離離れた地点を補正地点（Ｚ１）として抽出する。ここで、当該所定距離として、予め一定距離を定めておくことができる。当該一定距離としては、精度良く標高を特定可能な上記補正地点としての要件を満たせれば良く、特に限定されないが、例えば３０ｍ〜５０ｍの範囲から一定距離を定めることができる。すなわち、当該範囲の距離であれば、対象出入口から比較的近いため、対象出入口の標高と補正地点の標高との標高差も小さい可能性が高い。また、対象出入口から一定距離離れていることから、後述する補正地点標高特定部１１において補正地点の標高を求める際、補正地点を囲む４点のメッシュ標高データとして山部分に存在する点を取得してくる可能性が低い。また、上記所定距離として、他に、目的に応じて適宜指定された条件に基づき設定することもできる。抽出された当該補正地点は、補正地点保存部１０に保存される。
【００２５】
補正地点標高特定部１１は、標高データ保存部４及び補正地点保存部１０を参照し、補正地点抽出部９で抽出された補正地点（Ｚ１）の標高を特定する。当該特定の方法は、補正地点の標高を精度良く特定できる方法であれば特に限定されない。このような方法として、例えば、上記メッシュ標高データに基づき当該補正地点標高を特定することができる。
【００２６】
第１標高特定部１２は、補正地点標高特定部１１で特定された補正地点（Ｚ１）の標高を対象出入口（Ｘ）の第１の標高として特定する。当該第１の標高をより精度良く特定するために、予め定められた条件に該当する場合には、補正地点標高を適正化して第１の標高を特定することができる。例えば、対象出入口（Ｘ）から延びる対象道路（対象道路リンク、Ｙ）が山腹に沿って備えられている場合等、対象出入口（Ｘ）と補正地点（図２（Ｂ）に示す地点Ｚ２）との間に標高差がある可能性が高い。この場合、補正地点（Ｚ２）の標高と、補正地点（Ｚ２）からさらに一定距離離れた地点Ａ（図２（Ｂ）に示す地点Ａ１）の標高との標高差も大きい可能性が高い。したがって、このような場合には、例えば、補正地点標高を適正化した値を第１の標高とすることが好ましい。すなわち、補正地点（Ｚ２）と地点Ａ１との標高差から単位距離当りの標高上昇値を求め、第１の標高を特定するための対象出入口（Ｘ）から補正地点（Ｚ２）までの距離に当該標高上昇値を乗じた値を補正地点標高に加えることにより、より精度良く第１の標高を特定することができる。また、トンネル出入口付近の路面勾配は緩やかであることが多いことから、補正地点標高に加える値として、標高上昇値に負の数を乗じて標高上昇値を低減させた値を用いることとしても良い。上記適正化の処理は、後述するフラグ設定部においてフラグが設定された対象出入口において、行うこととしても良い。また、図２（Ｃ）に示すように、補正地点（Ｚ３）と地点Ａ２との標高差が小さい場合には、対象出入口（Ｘ）と補正地点（Ｚ３）との標高差も小さい可能性が高いことから、上記適正化の処理を行わないこととできる。さらには、対象出入口付近が橋や高架等である旨の情報がある場合にも、上記処理を行わないこととできる。特定された第１の標高は、当該対象出入口と関連付けて第１標高保存部１３に保存される。
【００２７】
図３を用いて、図１に示すトンネル出入口標高特定装置１の動作を説明する。
まず、ステップ１では、地図データ保存部３を参照し、標高を特定する対象となるトンネル出入口を対象出入口として選択し、保存する。
ステップ３では、地図データ保存部３及び対象出入口保存部６を参照し、ステップ１で選択された対象出入口を含む道路リンクを対象道路リンクとして指定し、保存する。
【００２８】
次いで、地図データ保存部３及び対象道路リンク保存部８を参照し、ステップ３で指定された対象道路リンクに沿って、ステップ１で選択された対象出入口からトンネル外側へ所定距離離れた地点を補正地点として抽出し、保存する（ステップ５）。
ステップ７では、標高データ保存部４及び補正地点保存部１０を参照し、ステップ５で抽出した補正地点の標高を特定する。
ステップ７で特定された補正地点の補正地点標高を、ステップ１で選択された対象出入口の第１の標高として特定し、当該情報を対象出入口と関連付けて第１標高保存部１３に保存する（ステップ９）。
【００２９】
図４に、他の実施の形態のトンネル出入口標高特定装置２１を示す。図４において、図１と同一の要素には同一の符号を付して、その説明を部分的に省略する。
図４に示すトンネル出入口標高特定装置２１では、図１に示すトンネル出入口標高特定装置１において、第２標高特定部２３、第２標高保存部２４、標高差算出部２５、標高差保存部２６、フラグ設定部２７及びフラグ保存部２８を更に備えている。
第２標高特定部２３は、標高データ保存部４を参照して、メッシュ標高データに基づき、対象出入口選択部５で選択された対象出入口の第２の標高を特定する。特定された第２の標高は、第２標高保存部２４に保存される。
【００３０】
標高差算出部２５は、第１標高保存部１３及び第２標高保存部２４を参照して、第１の標高と第２の標高との差を算出する。算出された標高差は、標高差保存部２６に保存される。
フラグ設定部２７は、標高差算出部２５で算出された標高差に基づき、フラグを設定する。当該フラグの設定は、目的に応じて適宜設定すれば良く、例えば、当該標高差が一定値以上存在する対象出入口にフラグを設定することとできる。設定されたフラグは、フラグ保存部２８に保存される。このように設定されたフラグを対象出入口の現地調査を行う等の指標とすることができる。
【００３１】
図５はトンネル出入口標高特定装置１のハード構成を示すブロック図である。
この装置１のハード構成は、一般的なコンピュータシステムと同様に中央制御装置２２１に対してシステムバス２２２を介して各種の要素が結合されたものである。
中央制御装置２２１は汎用的なＣＰＵ、メモリ制御装置、バス制御装置、割り込み制御装置更にはＤＭＡ（直接メモリアクセス）装置を含み、システムバス２２２もデータライン、アドレスライン、制御ラインを含む。システムバス２２２にはＲＡＭ（ランダムアクセスメモリ）２２３、不揮発メモリ（ＲＯＭ２２４，ＣＭＯＳ−ＲＡＭ２２５等）からなるメモリ回路が接続されている。ＲＡＭ２２３に格納されるデータは中央制御装置２２１や他のハードウエア要素によって読み取られたり、書き換えられたりする。不揮発メモリのデータは読み取り専用であり、装置をオフとしたときにもそこのデータは喪失されない。このハードウエアを制御するシステムプログラムはハードディスク装置２２７に保存されており、また、ＲＡＭ２２３に保存されており、ディスクドライブ制御装置２２６を介して適宜中央制御装置２２１に読みこまれて使用される。このハードディスク装置２２７には、汎用的な構成のコンピュータシステムをトンネル出入口標高特定装置１として動作させるためのコンピュータプログラムを保存する領域が確保される。
このハードディスク装置２２７の所定の領域が、第１標高特定部１２の特定結果を保存する保存部用に割り付けられる。
ハードディスク装置２２７の他の領域が地図データ保存部３及び標高データ保存部４用に割り付けられる。
【００３２】
システムバス２２２には、フレキシブルディスク２３２に対してデータの読み込み及び書き込みを行うフレキシブルドライブ制御装置２３１、コンパクトディスク２３４に対してそれからデータの読み取りを行うＣＤ／ＤＶＤ制御装置２３３が接続されている。この例ではプリンタインターフェース２３７にプリンタ２３８を接続させている。
システムバス２２２にはキーボード・マウス制御装置２４１が接続され、キーボード２４２及びマウス２４３からのデータ入力を可能としている。モニタ２４５がモニタ制御装置２４４を介してシステムバス２２２に接続されている。モニタ２４５にはＣＲＴタイプ、液晶タイプ、プラズマディスプレイタイプなどを利用することができる。
各種の要素（モデムなど）の増設を可能とするため空きのスロット２５１が準備されている。
【００３３】
このコンピュータシステムからなるトンネル出入口標高特定装置１を稼動させるために必要なプログラム（ＯＳプログラム、アプリケーションプログラム（本発明のものも含む））は、各種の記録媒体を介してシステムの中にインストールされる。例えば非書き込み記録媒体（ＣＤ−ＲＯＭ、ＲＯＭカード等）、書き込み可能記録媒体（ＦＤ、ＤＶＤ等）、更にはネットワークＮを利用して通信媒体の形式でインストールすることも可能である。勿論、不揮発メモリ２２４、２２５やハードディスク装置２２７に予めこれらのプログラムを書きこんでおくこともできる。
【００３４】
以上、本発明の実施の形態について説明してきたが、これらのうち、２つ以上の実施の形態を組み合わせて実施しても構わない。あるいは、これらのうち、１つの実施の形態を部分的に実施しても構わない。さらには、これらのうち、２つ以上の実施の形態を部分的に組み合わせて実施しても構わない。
【００３５】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００３６】
１  ２１  トンネル出入口標高特定装置
３  地図データ保存部
４  標高データ保存部
５  対象出入口選択部
７  対象道路リンク指定部
９  補正地点抽出部
１１  補正地点標高特定部
１２  第１標高特定部
２３  第２標高特定部
２５  標高差算出部
２７  フラグ設定部
【図１】
2012056818.tif 000003
【図２】
2012056818.tif 000004
【図３】
2012056818.tif 000005
【図４】
2012056818.tif 000006
【図５】
2012056818.tif 000007
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
地図データ保存部からトンネルの出入口標高を特定するための対象出入口を選択する対象出入口選択部と、
前記地図データ保存部から前記対象出入口を含む道路リンクを対象道路リンクとして指定する対象道路リンク指定部と、
前記対象出入口から前記対象道路リンクに沿って、前記トンネルの外側へ所定距離離れた地点を補正地点として抽出する補正地点抽出部と、
前記補正地点の標高を補正地点標高として特定する補正地点標高特定部と、
前記補正地点標高を前記対象出入口の第１の標高と特定する第１の対象出入口標高特定部と、
を備えるトンネル出入口標高特定装置。
【請求項２】
前記補正地点標高特定部は、所定間隔メッシュの格子点に対応する地図上の標高を示すメッシュ標高データに基づき前記補正地点標高を特定する、請求項１に記載のトンネル出入口標高特定装置。
【請求項３】
前記メッシュ標高データに基づき前記対象出入口の第２の標高を特定する第２の対象出入口標高特定部と、
前記第１の標高と前記第２の標高との標高差を算出する標高差算出部と、
前記標高差が所定閾値以上であるとき、フラグを設定するフラグ設定部と、
を備える、請求項２に記載のトンネル出入口標高特定装置。
【請求項４】
前記所定距離は予め指定された条件に基づき設定される、請求項１〜３のいずれか一項に記載のトンネル出入口標高特定装置。
【請求項５】
対象出入口選択部が、地図データ保存部からトンネルの出入口標高を特定するための対象出入口を選択する対象出入口選択ステップと、
対象道路リンク指定部が、前記地図データ保存部から前記対象出入口を含む道路リンクを対象道路リンクとして指定する対象道路リンク指定ステップと、
補正地点抽出部が、前記対象出入口から前記対象道路リンクに沿って、前記トンネルの外側へ所定距離離れた地点を補正地点として抽出する補正地点抽出ステップと、
補正地点標高特定部が、前記補正地点の標高を補正地点標高として特定する補正地点標高特定ステップと、
第１の対象出入口標高特定部が、前記補正地点標高を前記対象出入口の第１の標高と特定する第１の対象出入口標高特定ステップと、
を備える、トンネル出入口標高特定方法。
【請求項６】
前記補正地点標高特定ステップは、所定間隔メッシュの格子点に対応する地図上の標高を示すメッシュ標高データに基づき前記補正地点標高を特定する、請求項５に記載のトンネル出入口標高特定方法。
【請求項７】
第２の対象出入口標高特定部が、前記メッシュ標高データに基づき前記対象出入口の第２の標高を特定する第２の対象出入口標高特定ステップと、
標高差算出部が、前記第１の標高と前記第２の標高との標高差を算出する標高差算出ステップと、
フラグ設定部が、前記標高差が所定閾値以上であるとき、フラグを設定するフラグ設定ステップと、
を備える、請求項６に記載のトンネル出入口標高特定方法。
【請求項８】
前記所定距離は予め指定された条件に基づき設定される、請求項５〜７のいずれか一項に記載のトンネル出入口標高特定方法。
【請求項９】
トンネル出入口標高を特定するためのコンピュータプログラムであって、コンピュータを、
地図データ保存部からトンネルの出入口標高を特定するための対象出入口を選択する対象出入口選択手段と、
前記地図データ保存部から前記対象出入口を含む道路リンクを対象道路リンクとして指定する対象道路リンク指定手段と、
前記対象出入口から前記対象道路リンクに沿って、前記トンネルの外側へ所定距離離れた地点を補正地点として抽出する補正地点抽出手段と、
前記補正地点の標高を補正地点標高として特定する補正地点標高特定手段と、
前記補正地点標高を前記対象出入口の第１の標高と特定する第１の対象出入口標高特定手段、
として機能させるコンピュータプログラム。
【請求項１０】
前記補正地点標高特定手段は、所定間隔メッシュの格子点に対応する地図上の標高を示すメッシュ標高データに基づき前記補正地点標高を特定する、請求項９に記載のコンピュータプログラム。
【請求項１１】
前記コンピュータを、更に、
前記メッシュ標高データに基づき前記対象出入口の第２の標高を特定する第２の対象出入口標高特定手段と、
前記第１の標高と前記第２の標高との標高差を算出する標高差算出手段と、
前記標高差が所定閾値以上であるとき、フラグを設定するフラグ設定手段、
として機能させる、請求項１０に記載のコンピュータプログラム。
【請求項１２】
前記所定距離は予め指定された条件に基づき設定される、請求項９〜１１のいずれか一項に記載のコンピュータプログラム。
【請求項１３】
請求項９〜請求項１２のいずれかに記載のコンピュータプログラムを記録する記録媒体。
【国際調査報告】
2012056818.tif 000008
2012056818.tif 000009
2012056818.tif 000010
2012056818.tif 000011